(57)【特許請求の範囲】
【請求項１】
取付板と支持板とを有する基枠体の内側に連結杆が摺動可能に配設され、該支持板の上部と下部に鉤部材が傾動可能に枢支され、該連結杆の上端と下端が上下の該鉤部材に連結され、該連結杆に該鉤部材を施錠側に付勢するばね部材が装着され、該取付板の中間部にシリンダ錠がその錠軸を該基枠体内に挿入するように取り付けられ、該シリンダ錠の錠軸に取り付けられたカム部材が該連結杆に係合可能に配設されたゲーム機の施錠装置において、
該基枠体の内側に配設されたカム部材及び該カム部材の回動時に該カム部材が係合する部材を覆うためのカバー部材が該基枠体の内側に着脱可能に取り付けられ、
該カバー部材には前記連結杆の係合部近傍を覆う囲繞部が長手方向に沿って設けられると共に、前記取付板に当接する当接部が長手方向に沿って設けられ、
該カバー部材は合成樹脂により成形され、
該カバー部材には、該取付板に形成された係止孔に嵌入されて係止される係止爪が突設され、
前記支持板の一部に形成された係止孔に嵌入される係止部が該カバー部材に設けられたことを特徴とするゲーム機の施錠装置。
【請求項２】
取付板と支持板とを有する基枠体の内側に連結杆が摺動可能に配設され、該支持板の上部と下部に鉤部材が傾動可能に枢支され、該連結杆の上端と下端が上下の該鉤部材に連結され、該連結杆に該鉤部材を施錠側に付勢するばね部材が装着され、該取付板の中間部にシリンダ錠がその錠軸を該基枠体内に挿入するように取り付けられ、該シリンダ錠の錠軸に取り付けられたカム部材が該連結杆に係合可能に配設されたゲーム機の施錠装置において、
該基枠体の内側に配設されたカム部材及び該カム部材の回動時に該カム部材が係合する部材を覆うためのカバー部材が該基枠体の内側に着脱可能に取り付けられ、
該カバー部材には前記連結杆の係合部近傍を覆う囲繞部が長手方向に沿って設けられると共に、前記取付板に当接する当接部が長手方向に沿って設けられ、
前記連結杆には、施錠時に該連結杆をロックするロック部材が揺動可能に枢支され、
該カバー部材は、該ロック部材を覆い、且つ該ロック部材への不正器具の接近を阻止するための遮蔽部を有して、金属板をプレス加工して形成され、
該カバー部材には、前記取付板に形成された係止孔に挿入される係止凸部が設けられると共に、前記支持板の一部に形成された係止溝に嵌入される係止部が設けられ、
該係止凸部を該係止孔に係止された状態で、固定ねじをねじ込んで締め付け固定するためのねじ止め部が該カバー部材の端部に設けられたことを特徴とするゲーム機の施錠装置。
【発明の詳細な説明】
【技術分野】
【０００１】
本発明は、スロットマシン、パチンコ機等のゲーム機の前面枠（前扉）を、本体枠（筐体）に対し施錠するゲーム機の施錠装置に関し、特に針金などの不正器具を使用しての不正解錠を防止することができるゲーム機の施錠装置に関する。
【背景技術】
【０００２】
従来、この種のゲーム機の施錠装置として、基枠体の内側に連結杆が摺動可能に配設され、基枠体の支持板の上部と下部に鉤部材が、連結杆に連結されて傾動可能に枢支され、基枠体の取付板の中間部に、シリンダ錠がその錠軸を取付板に設けた孔から内側に差し込むように固定され、錠軸の先端に連結杆と係合するカム部材が取り付けられた構成の施錠装置が、下記特許文献１などで知られている。
【０００３】
この種の施錠装置の基枠体は、取付板と支持板を略Ｌ字状に形成した長尺のＬ形アングル材状に形成され、その基枠体の取付板が前面枠（前扉）の自由端（右端）に縦に固定されるが、基枠体の支持板は正面から見て左側に位置するため、基枠体の右側面は開放された形状となっている。したがって、開放状態の前面枠（前扉）の自由端（右端）側から施錠装置を見た場合、基枠体の内側に配設したシリンダ錠の錠軸、錠軸に固定されたカム部材、及びカム部材の回動時に係合する連結杆の係合部などが、容易に見える状態となっている。
【特許文献１】実開昭６０−２５８５号公報
【特許文献２】特開２００２−１７７５８６号公報
【発明の開示】
【発明が解決しようとする課題】
【０００４】
このような施錠装置を自由端側に取り付けた前面枠を、ゲーム機の本体枠に対し閉じると、施錠装置の上部と下部の鉤部材が、本体枠の内側に固定された受け金具に係止され、前面枠は施錠状態となる。しかし、閉鎖され施錠状態となったゲーム機の前面枠は、堅強に閉じられているものの、前面枠の自由端と本体枠との間に、僅かな隙間が生じる場合がある。そのようなときに、自由端側の隙間にバールなどを差し込み、隙間を広げ、そこから針金や薄板などの不正器具を差し込み、不正器具の先端を施錠装置の基枠体の内側に配置されるカム部材やそれが係合する連結杆の係合部などを引っ掛け、不正解錠が行なわれる可能性があった。
【０００５】
そこで、従来、上記特許文献２において、基枠体の全体に角筒形のケースを被せ、ケースに設けたスリット孔から、施錠用の鉤部材、作動杆、シリンダ錠などを突出させた構造の施錠装置が提案されている。
【０００６】
しかし、このような基枠体全体に角筒形のケースを被せる施錠装置は、必然的にその外形が大型化し、パチンコ機の前面枠内側の非常に狭いスペースに、このようなケース付きの施錠装置を取り付けることが困難となる課題があった。また、パチンコ機の施錠装置では、鉤部材やシリンダ錠の位置が異なる数多くの機種が製造されているため、各機種毎に角筒形ケースを製作し、各ケースに異なる大きさのスリットを異なる位置に形成する必要があり、製造コストが増大する課題があった。
【０００７】
本発明は、上記の点に鑑みてなされたもので、外形を大形化することなく、施錠動作に関わる主要部分をカバーして不正解錠を防止することができるゲーム機の施錠装置を提供することを目的とする。
【課題を解決するための手段】
【０００８】
上記目的を達成するために、本発明の請求項１のゲーム機の施錠装置は、
取付板と支持板とを有する基枠体の内側に連結杆が摺動可能に配設され、該支持板の上部と下部に鉤部材が傾動可能に枢支され、該連結杆の上端と下端が上下の該鉤部材に連結され、該連結杆に該鉤部材を施錠側に付勢するばね部材が装着され、該取付板の中間部にシリンダ錠がその錠軸を該基枠体内に挿入するように取り付けられ、該シリンダ錠の錠軸に取り付けられたカム部材が該連結杆に係合可能に配設されたゲーム機の施錠装置において、
該基枠体の内側に配設されたカム部材及び該カム部材の回動時に該カム部材が係合する部材を覆うためのカバー部材が該基枠体の内側に着脱可能に取り付けられ、
該カバー部材には前記連結杆の係合部近傍を覆う囲繞部が長手方向に沿って設けられると共に、前記取付板に当接する当接部が長手方向に沿って設けられ、
該カバー部材は合成樹脂により成形され、
該カバー部材には、該取付板に形成された係止孔に嵌入されて係止される係止爪が突設され、
前記支持板の一部に形成された係止孔に嵌入される係止部が該カバー部材に設けられたことを特徴とする。
【０００９】
また、請求項２のゲーム機の施錠装置は、
取付板と支持板とを有する基枠体の内側に連結杆が摺動可能に配設され、該支持板の上部と下部に鉤部材が傾動可能に枢支され、該連結杆の上端と下端が上下の該鉤部材に連結され、該連結杆に該鉤部材を施錠側に付勢するばね部材が装着され、該取付板の中間部にシリンダ錠がその錠軸を該基枠体内に挿入するように取り付けられ、該シリンダ錠の錠軸に取り付けられたカム部材が該連結杆に係合可能に配設されたゲーム機の施錠装置において、
該基枠体の内側に配設されたカム部材及び該カム部材の回動時に該カム部材が係合する部材を覆うためのカバー部材が該基枠体の内側に着脱可能に取り付けられ、
該カバー部材には前記連結杆の係合部近傍を覆う囲繞部が長手方向に沿って設けられると共に、前記取付板に当接する当接部が長手方向に沿って設けられ、
前記連結杆には、施錠時に該連結杆をロックするロック部材が揺動可能に枢支され、
該カバー部材は、該ロック部材を覆い、且つ該ロック部材への不正器具の接近を阻止するための遮蔽部を有して、金属板をプレス加工して形成され、
該カバー部材には、前記取付板に形成された係止孔に挿入される係止凸部が設けられると共に、前記支持板の一部に形成された係止溝に嵌入される係止部が設けられ、
該係止凸部を該係止孔に係止された状態で、固定ねじをねじ込んで締め付け固定するためのねじ止め部が該カバー部材の端部に設けられたことを特徴とする。
【発明の効果】
【００１３】
上記請求項１の施錠装置によれば、基枠体の内側に配設されたカム部材及びカム部材の回動時にカム部材が係合する部材を覆うように、カバー部材が基枠体の内側に着脱可能に取り付けられているので、基枠体が、取付板と支持板を横断面略Ｌ字状に形成され、使用時に、その基枠体の取付板が前面枠（前扉）の自由端（右端）に縦に固定され、基枠体の支持板が正面から見て左側に位置し、基枠体の右側面が開放された形状となっていても、カム部材及び連結杆の係合部分がカバー部材により覆われているため、前面枠の自由端側と本体枠の右端近傍の隙間から針金や薄板などの不正器具を差し込んで、カム部材や連結杆を動かそうとしても、針金などの不正器具をそこに掛けることができず、針金などの不正器具を使用した不正解錠を防止することができる。
また、カバー部材には連結杆の係合部近傍を覆う囲繞部が長手方向に沿って設けられると共に、取付板に当接する当接部が長手方向に沿って設けられるので、カム部材及びそれと係合する連結杆の係合部を殆ど隙間なく確実に覆って不正解錠を防止することができる。さらに、合成樹脂製のカバー部材には、取付板に形成された係止孔に嵌入されて係止される係止爪が突設され、支持板の一部に形成された係止孔に嵌入される係止部をカバー部材に設けているので、係止爪を係止孔に嵌め込むだけで、カバー部材を簡単に取り付けることができる。
【００１４】
上記請求項２の施錠装置によれば、上記と同様、カム部材及び連結杆の係合部分がカバー部材により覆われているため、前面枠の自由端側と本体枠の右端近傍の隙間から針金や薄板などの不正器具を差し込んで、カム部材や連結杆を動かそうとしても、針金などの不正器具をそこに掛けることができず、針金などの不正器具を使用した不正解錠を防止することができる。
また、カバー部材には連結杆の係合部近傍を覆う囲繞部が長手方向に沿って設けられると共に、取付板に当接する当接部が長手方向に沿って設けられるので、カム部材及びそれと係合する連結杆の係合部を殆ど隙間なく確実に覆って不正解錠を防止することができる。
さらに、カバー部材はロック部材を覆うと共に、ロック部材への不正器具の接近を阻止するための遮蔽部がカバー部材に設けられるため、針金などの不正器具による不正なロック解除を防止することができる。
また、カバー部材には、取付板に形成された係止孔に挿入される係止凸部が設けられると共に、支持板の一部に形成された係止溝に嵌入される係止部が設けられ、係止凸部を係止孔に係止された状態で、固定ねじをねじ込んで締め付け固定するためのねじ止め部がカバー部材の端部に設けられるので、カバー部材を１本の固定ねじのみで、簡単に固定し着脱することができる。
【発明を実施するための最良の形態】
【００１５】
以下、本発明の実施の形態を図面に基づいて説明する。図１〜図４はゲーム機用施錠装置の正面図、左右側面図、及び背面図を示し、図５は基枠体１内のカバー７を外した状態の背面図を示している。この施錠装置は、概略的には、縦長の基枠体１の上部寄りと下部よりの２箇所に、背面側に向けて鉤部材５，６を傾動可能に枢支し、基枠体１の正面の略中央下部寄りにシリンダ錠１４を取り付け、シリンダ錠１４の解錠操作により、鉤部材５，６を係止解除側に傾動させ、解錠するように構成される。
【００１６】
基枠体１は、帯状の金属板をプレス加工して断面略コ字状の略チャンネル材形状に形成され、その底壁を取付板２とし、一方の側壁（正面に向かって左側の側壁）を支持板３として、取付板２と支持板３を略直角に曲折した形状に成形されている。取付板２には施錠装置を固定するための複数の固定孔などが穿設され、さらに、取付板２の略中央下寄り部分は、幅広部２ａが左側に膨出するように幅広に形成され、その取付板２の幅広部２ａに、シリンダ錠１４用の取付孔が穿設されている。
【００１７】
また、この取付板２の幅広部２ａには、後述のカバー部材７の係止爪７ｄ，７ｅと位置決めピン７ｇ、７ｆを嵌め込むための係止孔と位置決め孔が穿設されている。その幅広部２ａの左側面を形成する支持板３の部分は、分割支持板３ａとして分割形成され、分割支持板３ａには、図２に示すように、凹部３ｅが受け金具３３のロック部３６を導入するために形成されている。
【００１８】
さらに、支持板３における上部寄りの部分には背面側に突出する突出部３ｃが形成され、その支持板３の突出部３ｃに枢軸５ａを介して鉤部材５が下側に傾動可能に枢支される。同様に、支持板３における下部寄りの部分には背面側に突出する突出部３ｄが形成され、その支持板３の突出部３ｄに枢軸６ａを介して鉤部材６が下側に傾動可能に枢支されている。両鉤部材５，６は、その先端部が傾斜面を有したフック状に形成され、下側に傾動しながら受け金具３３の係止部３４，３５に係止可能となっている。
【００１９】
基枠体１の内側に、帯状の連結杆４が支持板３に沿って摺動可能に配設され、連結杆４の上端部はピン４ａを介して鉤部材５の下端部に連結され、連結杆４の下端部はピン４ｂを介して鉤部材６の下端部に連結されている。図５に示すように、連結杆４と取付板２間にコイルばね１７がかけられ、連結杆４はコイルばね１７により下方に付勢され、上下の鉤部材５，６を施錠側に付勢している。図６に示すように、鉤部材６の近傍の支持板３の一部に、切り起し部３ｂが内側に折り曲るように形成され、その切り起し部３ｂが連結杆４の下端に当接し、コイルばね１７による下方への付勢力を受け、上下の鉤部材５，６を水平姿勢に保持している。したがって、シリンダ錠１４による解錠操作に伴い、連結杆４がコイルばね１７の付勢力に抗して上方に摺動すると、鉤部材５、６は下側の解錠位置に傾動する。
【００２０】
図２、図６に示すように、幅広部２ａの側壁となる支持板３の分割支持板３ａには、凹部３ｅの上方に開閉検出器用検出凸部９が背面側に突出して形成され、前面枠３１が本体枠３０に対し閉じられた際、受け金具３３側に取り付けられた近接スイッチなどからなる開閉検出器３８によってこの検出凸部９が検知され、前面枠３１の閉鎖が電気的に検出されるようにしている。さらに、分割支持板３ａの下部の背面側に突出した部分には、支持ローラ１６が回転自在に軸支され、前面枠３１の閉鎖時に、受け金具側の滑り板上に支持ローラ１６が乗り上げ、前面枠３１の荷重を支持するように作用する。
【００２１】
さらに、図６、図７に示すように、分割支持板３ａにおける支持ローラ１６の近傍には、カバー部材７の係止部７ｃを係止するための係止孔３ｆが形成されている。この係止孔３ｆはカバー部材７の係止部７ｃを挿入して押下げたとき、係止部７ｃが係止孔３ｆに係止される形状に形成されている。
【００２２】
カバー部材７は、図８、図９に示すように、合成樹脂材料により、取付板２の幅広部２ａの内側を覆うように、つまりカム部材１３、連結杆４、ロック部材１２などの施錠機構の要部を覆う形状に成形されている。図８、図９に示すように、カバー部材７は、一方の側に連結杆４の係合部近傍を覆う囲繞部７ａを有し、その囲繞部７ａの一部に係合凹部７ｆを設けて形成される。この係合凹部７ｆには、施錠時、本体枠３０側の受け金具３３に設けたロック部３６が嵌入する。
【００２３】
さらに、図８〜図１０に示すように、カバー部材７には、係合凹部７ｆの近傍に係止部７ｃが分割支持板３ａ側に向けて突設され、囲繞部７ａと反対側の底面には取付板２に当接する当接部７ｂが設けられ、さらに、当接部７ｂの両側に係止爪７ｄ，７ｅが突設されている。係止爪７ｄ，７ｅの内側には、位置決めピン７ｇ、７ｈが突設されている。カバー部材７を基枠体１内に装着したとき、係止爪７ｄ，７ｅは取付板２の幅広部２ａの係止孔に差し込まれて係止され、位置決めピン７ｇ、７ｈは幅広部２ａの位置決め孔に差し込まれる。カバー部材７の右上の係止部７ｃは、分割支持板３ａに設けた係止孔３ｆに差し込まれ、係止される。このように上記構成のカバー部材７は、係止爪７ｄ，７ｅ、及び係止部７ｃを嵌め込むだけで、容易に基枠体１の幅広部２ａに取り付けることができる。
【００２４】
図４、図６に示すように、取付板２の上部と中間部と下部寄りに、山形のガイド支持部２ｂが連結杆４をガイドするように、取付板２の一部を内側に切り起して形成されている。連結杆４はそのガイド支持部２ａと支持板３間に配設され、ガイド支持部２ａと支持板３により上下摺動可能にガイドされる。また、図７のように、幅広部２ａ近傍の連結杆４の一部に長孔４ｄが穿設され、その長孔４ｄにガイドピン１０が挿通されて分割支持板３ａに固定され、連結杆４はガイドピン１０により長手方向に摺動可能にガイドされる。また、連結杆４の中間部には、後述のカム部材１３の係合凸部１３ａに係合可能な係合部４ａが形成されている。
【００２５】
さらに、連結杆４の内側つまり支持板３側には、図７に示すように、ロック部材１２が施錠時、連結杆４の解錠側への移動をロックするように取り付けられている。ロック部材１２は、図１１のように、分割支持板３ａの凹部３ｅに対応した位置に、同様な形状の係止凹部１２ａを形成し、かつカム部材１３の係合凸部１３ａが回動時に接触する位置に、傾斜部１２ｂを形成して構成され、支軸１１を介して連結杆４の内側に揺動可能に軸支されている。
【００２６】
また、図７、図１１のように、ロック部材１２の下端部にばね掛け部が設けられ、そのばね掛け部と連結杆４との間にコイルばね１９が掛けられ、ロック部材１２はロック側に付勢されている。このロック部材１２は、前面枠３１の閉鎖時に、本体枠３０側の受け金具３３のロック部３６が、分割支持板３ａの凹部３ｅに嵌合したとき、その係止凹部１２ａに嵌合し、連結杆４の移動をロックするように作用する。
【００２７】
一方、シリンダ錠１４を操作してカム部材１３が回動されたときには、カム部材１３の係合凸部１３ａが傾斜部１２ｂに接触し、ロック部材１２を、その支軸１１を支点にその係止凹部１２ａを取付板２側に下げるように揺動させる。これにより、ロック部材１２の係止凹部１２ａと受け金具側のロック部３６との係合が解除され、連結杆４のロックが外れ、連結杆４が移動可能となり、シリンダ錠１４により解錠操作が可能となる。
【００２８】
シリンダ錠１４は長尺の外筒を有して形成され、その元部にフランジ１４ｂが取り付けられ、フランジ１４ｂに固定用の孔が穿設されている。このシリンダ錠１４は、幅広部２ａに設けた円形孔からその外筒を正面側に突き出すように、つまりフランジ１４ｂと錠軸１４ａを基枠体１内に配置するように装着され、フランジ１４ｂを幅広部２ａの内側にねじ止めし、取付板２上に固定される。
【００２９】
さらに、幅広部２ａ上における分割支持板３ａと連結杆４（ロック部材１２）との間に、スイッチ作動杆１５が摺動可能に配設される。このスイッチ作動杆１５の先端には作動片１５ａが外側に向けて突設され、分割支持板３ａに設けたスリット孔から作動片１５ａが外側に突き出し、作動片１５ａはスイッチ作動杆１５の移動により、分割支持板３ａの外側に取り付けた光電スイッチなどの作動スイッチ２０に対し、接離可能とされる。また、このスイッチ作動杆１５には、カム部材１３の係合凸部１３ｂが係合する係合部が設けられている。
【００３０】
したがって、シリンダ錠１４によりカム部材１３を図５の時計方向に回したとき、その係合凸部１３ｂがスイッチ作動杆１５に係合して下側に摺動させ、その作動片１５ａを介して作動スイッチ２０をオンオフ動作させるように構成される。図２に示すように、分割支持板３ａとスイッチ作動杆１５の間にコイルばね１９が掛けられ、このコイルばね１９のばね力によって、スイッチ作動杆１５は上側に付勢されている。
【００３１】
シリンダ錠１４の錠軸１４ａの先端にカム部材１３が固定される。図７に示すように、カム部材１３には係合凸部１３ａと１３ｂが設けられ、連結杆４の対応箇所には、係合凸部１３ａと係合可能な係合部４ｅが設けられ、スイッチ作動杆１５にも係合凸部１３ｂと係合可能な係合部が設けられる。カム部材１３の係合凸部１３ａはシリンダ錠１４のキーを右に回した時、連結杆４と係合して連結杆４を上方に移動させ、カム部材１３の係合凸部１３ｂはキーを左に回した時、スイッチ作動杆１５と係合してこれを下方に摺動させる。
【００３２】
上述のように、基枠体１内にカバー部材７が、上記カム部材１３及びカム部材１３と係合する連結杆４の係合部分を覆うように、取付板２の幅広部２ａ上に着脱可能に装着される。カバー部材７は、その係止爪７ｄ，７ｅを取付板２の幅広部２ａの係止孔に差し込み、位置決めピン７ｇ、７ｈを幅広部２ａの位置決め孔に差し込んで装着され、同時にカバー部材７の右上の係止部７ｃが、分割支持板３ａに設けた係止孔３ｆに差し込まれ、係止される。これにより、図６などに示すように、カバー部材７は、カム部材１３及びカム部材１３と係合する連結杆４の係合部分を完全に覆うこととなる。
【００３３】
上記のように、スイッチ作動杆１５の作動片１５ａに対向した分割支持板３ａの外側に、透過型の光電スイッチ、近接スイッチなどの非接触式の作動スイッチ２０が取り付けられ、シリンダ錠１４を左に回し、スイッチ作動杆１５が下に移動したとき、その端部を検知してリセット信号などの信号を出力する。
【００３４】
このように構成された施錠装置は、図１２に示すように、ゲーム機例えばスロットマシンの前面枠３１（前扉）の内側に基枠体１の取付板２を縦に固定して装着され、ゲーム機の本体枠３０側の対応位置には、受け金具３３が取り付けられる。
【００３５】
受け金具３３は、図１２のように、縦長の基板の上部と下部に、板状の係止部３４，３５を突設して形成され、係止部３４，３５は施錠装置側の鉤部材５、６の対向位置に配置される。さらに、受け金具３３の係止部３５の下側にはローラ受け３７が設けられる。また、施錠時にロック部材１２をロック状態として連結杆４の移動をロックするためのロック部３６が受け金具３３のローラ受け３７の上方に設けられている。さらに、この受け金具３３には、前面枠３１の開閉を電気的に検出するために、近接スイッチなどの開閉検出器３８が取り付けられている。
【００３６】
施錠するために、前面枠３１を本体枠３０に対し閉じると、先ず、鉤部材５，６の傾斜面が受け金具３３の係止部３４，３５の端部に接触して鉤部材５，６が下側に傾動し、鉤部材５，６の係止凹部が係止部３４，３５に係合したとき、図１２のように、鉤部材５，６が上側に傾動復帰して施錠状態となる。
【００３７】
このとき、受け金具３３側のロック部３６が支持板３の凹部３ｅ及びロック部材１２の係止凹部１２ａ並びにカバー部材７の係合凹部７ｆ内に進入し、ロック部材１２が軸支された連結杆４の解錠側への移動をロックする。これにより、ロック部材１２によるロックが解除されない限り連結杆４は移動できず、鉤部材５，６が解錠側に傾動できないため、不正解錠は防止される。
【００３８】
さらに、カバー部材７が基枠体１の内側でカム部材１３とその係合凸部が係合する部分を覆っているため、本体枠３０と前面枠３１の隙間から針金などを差し込んで、カム部材７などを動かそうとしても、動かすことはできない。すなわち、施錠装置は、スロットマシンの前面枠３１に向かって右側つまり自由端の内側に取り付けられ、前面枠３１の自由端と本体枠３０との隙間が、施錠装置の基枠体１の開口した反支持板側に近くなり、その隙間から針金などを挿入された場合、針金などの先端がカム部材１３、連結杆４の係合部に到達する可能性があるが、カバー部材７によって針金などの先端をカム部材１３などに引っ掛けることはできず、不正解錠を防止することができる。
【００３９】
なお、施錠装置の保守点検時などに、シリンダ錠１４やカム部材１３の交換が必要な場合、カバー部材７は、その係止爪７ｄ，７ｅを外せば、取付板２の上から取り外すことができ、シリンダ錠１４やカム部材１３の交換は容易に行なうことができる。
【００４０】
一方、前面枠３１を開くために、所定のキーをシリンダ錠１４に挿入し、それを右に回すと、錠軸、カム部材１３が同方向に回動し、カム部材１３の係合凸部１３ａと連結杆４の係合部４ｅとの係合により連結杆４がコイルばね１７の付勢力に抗して上方に移動し、これにより、上下の鉤部材５、６が下側に傾動して、本体枠３０側の受け金具３３の係止部３４，３５との係合を外し、解錠状態となる。
【００４１】
一方、ゲーム機をリセットする場合、所定のキーをシリンダ錠１４に挿入し、それを左に回すと、錠軸、カム部材１３が同方向に回動し、カム部材１３の係合凸部１３ｂとの係合によりスイッチ作動杆１５がコイルばね１９の付勢力に抗して下方に移動する。このとき、作動スイッチ２０がこのスイッチ作動杆１５の下端部を検知して信号を出力し、この信号がリセット信号として送出される。
【００４２】
上述のように、基枠体１の内側に配設されたカム部材１３及びカム部材１３の回動時にカム部材１３が係合する連結杆４の係合部４ｅなどを覆うように、カバー部材７が基枠体１の内側に着脱可能に取り付けられているから、基枠体１の背面側及び右側面が開放された構造であって、前面枠３１の自由端側と本体枠３０の隙間から針金や薄板などの不正器具を差し込んで、カム部材１３や連結杆４を動かそうとしても、カム部材１３や連結杆４の係合部分がカバー部材７により覆われているため、針金などの不正器具をそこに掛けることができず、針金などの不正器具を使用した不正解錠を防止することができる。
【００４３】
図１３〜図１５は他の実施形態のカバー部材２７を示している。なお、上記実施形態で使用した施錠装置と同じ部分については、上記と同じ符号を図面に付してその説明は省略する。
【００４４】
このカバー部材２７は、プレス加工により鋼板を裁断し成形して形成され、取付板２の幅広部２ａの内側、つまりカム部材１３、連結杆４、ロック部材１２などの施錠機構の要部を覆う形状に折り曲げて形成されている。図１３、図１４に示すように、カバー部材２７は、一方の側に連結杆４の係合部近傍を覆う囲繞部２７ａを有し、その囲繞部２７ａの一部に設けた係合凹部の外側面に遮蔽部２７ｇを突設して形成される。
【００４５】
この係合凹部には、施錠時、本体枠３０側の受け金具３３に設けたロック部３６が嵌入するが、この遮蔽部２７ｇは、本体枠３０と前面枠３１の自由端側の隙間から挿入される針金などが、カバー部材２７の上面を通過してロック部材１２に到達しないように作用する。
【００４６】
さらに、図１３〜図１５に示すように、カバー部材２７には、係合凹部の近傍に係止部２７ｃが分割支持板３ａ側に向けて突設され、囲繞部２７ａと反対側の底面には取付板２に当接する当接部２７ｂが長手方向に沿って設けられる。さらに、当接部２７ｂの一方の端部に、取り付け用の係止凸部２７ｃが突設されている。係止凸部２７ｃは、取付板２の幅広部２ａに設けたスリット孔に挿入可能であり、当接部２７ｂの他端部には固定ねじ用の固定孔を設けたねじ止め部２７ｄが突設されている。さらに、カバー部材２７の右上には係止部２７ｅが設けられ、分割支持板３ａに設けた係止溝３ｇに差し込まれ、係止される。また、その係止部２７ｅの元部には、ロック部材カバー部２７ｆが設けられ、ロック部材１２の端部を覆う構造となっている。
【００４７】
このような構造のカバー部材２７は、図１３（ｂ）に示すように、先ず、その一端の係止凸部２７ｃを取付板２の幅広部２ａに設けたスリット孔に差し込むと共に、その右上の係止部２７ｅを分割支持板３ａに設けた係止溝３ｇに嵌め込み、他端のねじ止め部２７ｄに固定ねじを通し取付板２のねじ孔にねじ込んで締付固定して、取付を完了する。このように、係止凸部２７ｃ及び係止部２７ｅを所定の箇所に嵌め込み、ねじ止め部２７をねじ止めるだけの簡単な操作でカバー部材２７を取り付けることができる。
【００４８】
このようなカバー部材２７は、図１５に示すように、基枠体１の内側でカム部材１３とその係合凸部が係合する部分を覆って取り付けられるため、本体枠３０と前面枠３１の隙間から針金などを差し込んで、カム部材７などを動かそうとしても、動かすことはできない。つまり、施錠装置は、スロットマシンの前面枠３１に向かって右側つまり自由端の内側に取り付けられ、前面枠３１の自由端と本体枠３０との隙間が、施錠装置の基枠体１の開口した反支持板側に近くなり、その隙間から針金などを挿入された場合、針金などの先端がカム部材１３、連結杆４の係合部に到達する可能性があるが、カバー部材２７によって針金などの先端をカム部材１３などに引っ掛けることはできず、不正解錠を防止することができる。
【００４９】
一方、施錠装置の保守点検時などに、シリンダ錠１４やカム部材１３の交換が必要な場合、カバー部材２７は、そのねじ止め部２７ｄを外せば、取付板２の上から取り外すことができ、シリンダ錠１４やカム部材１３の交換は容易に行なうことができる。
【図面の簡単な説明】
【００５０】
【図１】本発明の一実施形態を示す施錠装置の正面図である。
【図２】同装置の左側面図である。
【図３】同装置の右側面図である。
【図４】同装置の背面図である。
【図５】カバー部材７を外した状態の同装置の背面図である。
【図６】同装置のカバー部材７周辺の拡大斜視図である。
【図７】カバー部材７を外した状態の同拡大斜視図である。
【図８】カバー部材７の斜視図である。
【図９】カバー部材７の平面図（ａ）とその底面図（ｂ）である。
【図１０】（ａ）はカバー部材７の取付姿勢を示す側面図、（ｂ）はそのＡ−Ａ断面図、（ｃ）はそのＢ−Ｂ断面図である。
【図１１】連結杆４の主要部とロック部材１２の分解右側面図である。
【図１２】施錠装置を取り付けた前面枠を本体枠に対し閉じた状態の右側面図である。
【図１３】他の実施形態のカバー部材２７の平面図（ａ）とその取付姿勢を示す側面図（ｂ）である。
【図１４】同カバー部材２７の斜視図である。
【図１５】同カバー部材２７を基枠体１に装着した状態の斜視図である。
【符号の説明】
【００５１】
１−基枠体
２−取付板
２ａ−幅広部
３−支持板
４−連結杆
５、６−鉤部材
７−カバー部材
７ａ−囲繞部
７ｂ−当接部
７ｃ−係止部
７ｄ，７ｅ−係止爪
７ｆ−係止凹部
７ｇ、７ｈ−位置決めピン
１２−ロック部材
１３−カム部材
１４−シリンダ錠
１９−コイルばね
【図１】
0004722603.tif 000002
【図２】
0004722603.tif 000003
【図３】
0004722603.tif 000004
【図４】
0004722603.tif 000005
【図５】
0004722603.tif 000006
【図６】
0004722603.tif 000007
【図７】
0004722603.tif 000008
【図８】
0004722603.tif 000009
【図９】
0004722603.tif 000010
【図１０】
0004722603.tif 000011
【図１１】
0004722603.tif 000012
【図１２】
0004722603.tif 000013
【図１３】
0004722603.tif 000014
【図１４】
0004722603.tif 000015
【図１５】
0004722603.tif 000016